(57)【要約】      （修正有）【課題】鎮火・消火に要する使用水量を少なくでき、そして鎮火・消火を効率良く・スピーディに行うことが出来、更には簡単・低廉なコストで実施できる消火技術を提供することである。【解決手段】消火方法であって、水に二酸化炭素を供給する供給ステップと、前記供給された二酸化炭素を含有する水を燃焼部に対して放水する放水ステップとを具備する。【選択図】図１
2007105255.tif 000002
【特許請求の範囲】
【請求項１】
消火に用いられる水であって、
水と、
前記水に含有される二酸化炭素
とを具備することを特徴とする消火水。
【請求項２】
消火に用いられる水であって、
ノズルから噴出される水と、
前記ノズルから噴出される前段階において水に供給される二酸化炭素
とを具備することを特徴とする消火水。
【請求項３】
水に二酸化炭素を供給する供給ステップと、
前記供給された二酸化炭素を含有する水を燃焼部に対して放水する放水ステップ
とを具備することを特徴とする消火方法。
【請求項４】
水の噴出に用いられるノズルと、
前記ノズルから噴出される前段階の水に二酸化炭素を供給する二酸化炭素供給手段
とを具備することを特徴とする消火装置。
【発明の詳細な説明】
【技術分野】
【０００１】
本発明は消火技術に関する。
【背景技術】
【０００２】
火事の鎮火・消火手段として各種の技術が提案されているが、一般的、かつ、大々的に採用されている鎮火・消火技術は、放水である。すなわち、火事発生現場に消防車が到着し、放水準備作業が完了すると、直ちに、燃焼部に対して放水を行い、消火作業を行っている。そして、放水に代わる代替技術は未だ無い。
【発明の開示】
【発明が解決しようとする課題】
【０００３】
さて、鎮火・消火手段として放水に代わる技術は無いと言って良い程のものであるが、それでも、放水で十分かと言うと、そう言う訳でも無い。
【０００４】
例えば、放水のみで鎮火・消火を行う場合、大量の水を要する。この為、水不足の今日では放水のみによる鎮火・消火には大きな問題が有る。特に、水不足の夏季には大きな問題である。又、火事が多く、かつ、水が豊富とも言えない冬季には、益々、問題である。
【０００５】
又、放水のみで鎮火・消火を行う場合、時間が長く掛かっている。この為、延焼の恐れがそれだけ高い。
【０００６】
従って、本発明が解決しようとする課題は、上記の問題点を解決することである。すなわち、鎮火・消火に要する使用水量を少なくすることである。又、鎮火・消火を効率良く・スピーディに行うことである。又、簡単に実施できることである。
【課題を解決するための手段】
【０００７】
前記の課題を解決する為、本発明者による検討が鋭意押し進められて行った結果、二酸化炭素による酸素遮断の助けを借りたならば、鎮火・消火が短時間で効率良くなされ、しかも使用水量を少なく出来るであろうとの啓示を得るに至った。
【０００８】
すなわち、酸化現象である燃焼は、その周囲に酸素が無くなれば、鎮火されることは良く知られている。例えば、火事が発生すると、その燃焼部を布団で覆うことが推奨されている。これは、布団で覆われた内側に在る酸素が消費し尽くされると、それ以上には燃焼が起きなくなるからである。つまり、覆った布団が一種の酸素遮断手段となっている。斯くの如く、燃焼部に酸素（空気）が流入して来ないように遮断膜を形成すると、鎮火・消火に極めて効果的なことは良く知られている。
【０００９】
しかしながら、燃焼部の周囲に酸素（空気）遮断膜を効果的に形成する為に如何にすべきかに関しては殆ど考慮されてない。
すなわち、不活性ガスで燃焼部周囲を覆ってしまえば、それ以上の燃焼を防ぐことが出来ることは判っていても、火事現場の燃焼部周囲を不活性ガスで覆う為には如何にすれば良いかは判っていない。
【００１０】
そこで、このようなことに対する検討が更に続行されて行った結果、次のようなことが判って来た。
【００１１】
先ず、水に対する二酸化炭素の溶解量は大きいことである。例えば、不活性ガスとしても良く知られている空気中の代表的成分である窒素ガスに比べると約１００倍も大きい。このことは、放水される水に多くの不活性ガス（二酸化炭素）を含有させることが出来ることを意味する。すなわち、放水される水に二酸化炭素ガスを含ませておけば、酸素（空気）遮断膜を効果的に形成させることが出来ることを意味する。これに対して、放水される水に窒素ガスを含ませていても、含有窒素量は少ないから、酸素（空気）遮断膜を効果的に形成することが出来にくい。
【００１２】
次に、放水される水に二酸化炭素を含ませておけば、二酸化炭素を燃焼部に効果的に供給することが出来ると言うことである。すなわち、気体状の二酸化炭素を燃焼部に供給しようとしても、それのみでは、二酸化炭素を燃焼部に効果的に供給できない。しかしながら、放水される水に二酸化炭素を含ませておけば、水と共に二酸化炭素を燃焼部に簡単に供給できる。つまり、放水圧力で以って、水と共に二酸化炭素を燃焼部に簡単に供給できる。
【００１３】
そして、二酸化炭素含有水が燃焼部に掛けられたならば、その水は瞬時に加熱され、二酸化炭素の溶解量は急激に低下し、ガス状二酸化炭素が発生することになり、この発生した二酸化炭素によって燃焼部の周囲は効果的に覆われるようになる。
【００１４】
又、二酸化炭素量の削減が叫ばれている今日、鎮火・消火を目的として、二酸化炭素を放出すれば、二酸化炭素量が増えるであろうものの、消火が短時間で完了すれば、火事（燃焼）による二酸化炭素発生量が少なくなり、結果的には、二酸化炭素の発生・放出量は少なくなるであろうと考えられるに至った。
【００１５】
更に、二酸化炭素は化学的に安定したものであり、かつ、毒性にも問題は無く、取扱性も簡単である。例えば、二酸化炭素が火事現場の周囲に撒き散らかされても、それが大きな問題となることは殆ど無い。
【００１６】
上記知見を基にして本発明が達成されたものである。
【００１７】
すなわち、前記の課題は、消火に用いられる水であって、
水と、
前記水に含有される二酸化炭素
とを具備することを特徴とする消火水によって解決される。
【００１８】
又、消火に用いられる水であって、
ノズルから噴出される水と、
前記ノズルから噴出される前段階において水に供給される二酸化炭素
とを具備することを特徴とする消火水によって解決される。
【００１９】
又、水に二酸化炭素を供給する供給ステップと、
前記供給された二酸化炭素を含有する水を燃焼部に対して放水する放水ステップ
とを具備することを特徴とする消火方法によって解決される。
【００２０】
又、水の噴出に用いられるノズルと、
前記ノズルから噴出される前段階の水に二酸化炭素を供給する二酸化炭素供給手段
とを具備することを特徴とする消火装置によって解決される。
【発明の効果】
【００２１】
本発明によれば、燃焼部目掛けて放水される水に二酸化炭素が含有（溶解）されてなるから、二酸化炭素含有水が燃焼部に掛けられると、水による鎮火・消火作用のみならず、含有されている二酸化炭素が熱によって直ちに放出され、燃焼部を二酸化炭素（気体状の二酸化炭素）が覆うようになる。すなわち、二酸化炭素の膜によって空気（酸素）が効率良く遮断されるようになる。
従って、鎮火・消火が効率良く行われる。かつ、短時間での鎮火・消火となる。これに伴って、鎮火・消火に要する水量も少なくなる。
【００２２】
そして、鎮火・消火に二酸化炭素を放出するものの、鎮火・消火が短時間で完了するから、火事による二酸化炭素発生量が少なくなり、結果的には、二酸化炭素の発生・放出量が少なくなる。
【００２３】
更に、二酸化炭素は化学的に安定したものであり、かつ、毒性にも問題が無く、取扱性も簡単である。すなわち、実施を躊躇わせる要因が無い。
【００２４】
又、現在の消火技術を基本的には採用するものであり、即ち、放水による鎮火・消火技術は採用されているから、現在の鎮火・消火システムを応用でき、実施の為のコストアップは少ない。すなわち、簡単に実施できる。そして、実施コストも低廉である。
【発明を実施するための最良の形態】
【００２５】
本発明になる消火に用いられる水（消火水）は、水と、前記水に含有される二酸化炭素とを具備する。又、ノズルから噴出される水と、前記ノズルから噴出される前段階において水に供給される二酸化炭素とを具備する。
【００２６】
本発明になる消火方法は、水に二酸化炭素を供給する供給ステップと、前記供給された二酸化炭素を含有する水を燃焼部に対して放水する放水ステップとを具備する。
【００２７】
本発明になる消火装置は、水の噴出に用いられるノズルと、前記ノズルから噴出される前段階の水に二酸化炭素を供給する二酸化炭素供給手段とを具備する。
以下、更に詳しく説明する。
【００２８】
鎮火・消火を目的として、火事現場の燃焼部に、二酸化炭素含有（溶解）水が放水される。すなわち、二酸化炭素含有水を燃焼部に目掛けて放水が行われる。そうすると、従来からの水による鎮火・消火と同様な作用・機構によって鎮火・消火が進む。と同時に、燃焼部目掛けて放水された水は燃焼部で加熱され、気体溶解度は低下し、放水された水に含まれていた二酸化炭素が空気中に放出され、燃焼部の周囲は二酸化炭素で覆われるものとなる。従って、酸素（空気）遮断膜が効果的に形成され、この点からも鎮火・消火が効果的に進むようになる。
【００２９】
さて、二酸化炭素含有水を燃焼部に目掛けて放水すれば鎮火・消火が効果的に進むことは理解できた。
それでは、二酸化炭素含有水を予め貯水しておくのが効果的かと言う点を考えると、鎮火・消火に際して、即ち、放水の前（ほぼ直前）段階で、水に二酸化炭素を加えれば良いことが判る。その理由は、長期間に亘って二酸化炭素含有水を貯水する必要が無いばかりか、長期間に亘って貯水した二酸化炭素含有水を放水するメリットに乏しいからである。更には、二酸化炭素が気体であれば圧縮状態で保存する方が保存性に優れているからである。或いは、二酸化炭素が液状のものであれば、水とは別々に保存せざるを得ないからである。又、放水に用いる水として、現在の消防システムにおける水道水をそのまま利用できるからである。このような観点から、本発明の実施に際しては、放水の前（ほぼ直前）段階で二酸化炭素が水に供給され、この供給された二酸化炭素を含有する水が燃焼部に対して放水されるようになる。すなわち、火事の鎮火・消火に際して、水はノズルから噴出（吐出）されて放水される訳であるが、このノズルから噴出される前段階において二酸化炭素が水に供給される。そして、このようにして供給された二酸化炭素含有水が燃焼部に対して放水される。
【００３０】
尚、これまでにあっても、水には微量の二酸化炭素が溶解している。しかしながら、このような自然に存在する僅かな量の二酸化炭素が溶解した水を燃焼部に放水しても、それでは、二酸化炭素のバリアが形成されていないことは容易に理解される。これに対して、本発明にあっては、自然に二酸化炭素が溶解していると言った程度ではなく、強制的に大量の二酸化炭素を水に供給して混合し、溶解限度に近い量と言った大量の二酸化炭素を溶解せしめている点に特徴が有る。勿論、溶解限度と言った量でなければならないと言うものでは無い。しかしながら、自然界に普通に存在する量よりも多量の二酸化炭素を水に対して供給し、自然に溶解している量よりも多くの二酸化炭素を溶解させている。例えば、１気圧で１５℃の条件下において、１体積部の水に対して標準状態（０℃，１気圧）の二酸化炭素ガスが０．５〜１体積部溶解せしめられている。
【００３１】
次に、本発明の実施に際して用いられる装置（カップラ）について簡単に説明する。
図１は本発明の消火装置の要部の概略図である。
【００３２】
同図中、１は放水の為のノズルである。
このノズル１にはカップラ２が組み込まれている。カップラ２には二酸化炭素供給源（例えば、自動車に搭載された二酸化炭素供給タンク）からのホース（図示せず）が接続される接続部３が設けられている。又、カップラ２には、ノズル１における水の流れ方向に沿って二酸化炭素が流出して行く排出口（流出口：図示せず）が設けられている。従って、二酸化炭素供給源からのホースが接続部３に接続されることによって、二酸化炭素がカップラ２内に供給され、そしてカップラ２内に供給されて来た二酸化炭素は前記排出口から排出され、ノズル１に送り込まれて来た水に混合・溶解されるようになる。
【００３３】
そして、二酸化炭素含有水が、水の供給圧力で以って、ノズル１の先端から燃焼部目掛けて放水される。
【図面の簡単な説明】
【００３４】
【図１】本発明の消火装置の要部の概略図
【符号の説明】
【００３５】
１    ノズル
２    カップラ
代  理  人  宇  高    克  己
【図１】
2007105255.tif 000003